(57)【要約】【課題】半田ＤＩＰ工程前にアースインダクタの巻線の先端をＡＣインレットに半田付けしても、アースインダクタが傾いたり電源回路基板から浮いたりすることが無いノイズフィルタ回路及びプロジェクタを提供する。【解決手段】ラインアクロスコンデンサ５４に対向する一方の開口部５５２Ａから延出する引き出し線５６Ａを、屈曲させながらラインアクロスコンデンサ５４の側面５４Ｓに当接させ、横方向に引き出す。また、トロイダルコア５５２の他方の開口部５５２Ｂから延出する引き出し線５６Ｂを、屈曲させながらトロイダルコア５５２の側部を通過させ、ラインアクロスコンデンサ５４の側面５４Ｓ２に当接させて、先端をＡＣインレット５１の端子面５１１において突出するＧＮＤ端子５１Ｇに半田付けする。トロイダルコア５５２に加わる２つの曲げ応力は、それぞれ反対方向に加わり打ち消しあうので、インダクタ５５は、傾いたり浮いたりしない。【選択図】図３
2007288056.tif 000002
【特許請求の範囲】
【請求項１】
巻線が巻かれたトロイダルコアと、
前記巻線の一方の端部が接続される端子が設けられたＡＣインレットと、
前記トロイダルコアの一方の開口部と、前記ＡＣインレットの端子と、の間に、ラインアクロスコンデンサが配置されたノイズフィルタ回路を備えたプロジェクタにおいて、
前記トロイダルコアは、
前記ＡＣインレットの端子に接続されている前記巻線の一方の端部が、前記ラインアクロスコンデンサの反対側に位置する他方の開口部から引き出されており、
前記巻線の他方の端部が、前記ラインアクロスコンデンサ側に位置する一方の開口部から引き出されて、且つこの一方の開口部と前記ラインアクロスコンデンサとの間を引き回しており、
前記トロイダルコアは、アースインダクタとして機能し、
前記ラインアクロスコンデンサは、前記トロイダルコアの一方の開口部に対向する側部が平面であることを特徴とするプロジェクタ。
【請求項２】
巻線が巻かれたトロイダルコアと、
前記巻線の一方の端部が接続される端子が設けられたＡＣインレットと、
前記トロイダルコアの一方の開口部と、前記ＡＣインレットの端子と、の間に、ラインアクロスコンデンサが配置されたノイズフィルタ回路において、
前記トロイダルコアは、
前記ＡＣインレットの端子に接続されている前記巻線の一方の端部が、前記ラインアクロスコンデンサの反対側に位置する他方の開口部から引き出されており、
前記巻線の他方の端部が、前記ラインアクロスコンデンサ側に位置する一方の開口部から引き出されて、且つこの一方の開口部と前記ラインアクロスコンデンサとの間を引き回していることを特徴とするノイズフィルタ回路。
【請求項３】
前記トロイダルコアは、アースインダクタとして機能する請求項２に記載のノイズフィルタ回路。
【請求項４】
前記ラインアクロスコンデンサは、前記トロイダルコアの一方の開口部に対向する側部が平面である請求項２または３に記載のノイズフィルタ回路。
【発明の詳細な説明】
【技術分野】
【０００１】
この発明は、電源回路基板に適用するノイズフィルタ回路、及びこのノイズフィルタ回路を適用したプロジェクタに関する。
【背景技術】
【０００２】
従来、ディジタル・マイクロミラー・デバイス（ＤＭＤ）や、液晶表示デバイス等の画像表示デバイスに対してランプから光を照射して、この画像表示デバイスに表示させた画像をスクリーンに投影する方式のプロジェクタが普及しつつある。
【０００３】
このようなプロジェクタでは、電源回路にノイズ対策用としてノイズフィルタ回路が設けられている（例えば、特許文献１参照。）。
【特許文献１】特開平５−４１４６号公報
【発明の開示】
【発明が解決しようとする課題】
【０００４】
図１は、従来のプロジェクタの電源回路基板に設けられているノイズフィルタ回路を構成する部品の配置を示す概観図である。従来の電源回路基板１４１に設けられたノイズフィルタ回路１５０は、ラインアクロスコンデンサ（アクロスザラインコンデンサ）、ラインバイパスコンデンサ、アースインダクタ等を備えた構成である。図１（Ａ）に示すように、電源回路基板（プリント基板）１４１上には、ＡＣインレット１５１、２つのラインバイパスコンデンサ１５２・１５３、ラインアクロスコンデンサ１５４、及びアースインダクタ１５５がこの順番に、それぞれ近接して取り付けられている。すなわち、複数の端子が突出するＡＣインレット１５１の端子面１５１１と、台座１５５１の上に取り付けられたトロイダルコア１５５２の一方の開口部１５５２Ａと、が対向して、電源回路基板１４１上に取り付けられている。そして、ＡＣインレット１５１とアースインダクタ１５５の間に２つのラインバイパスコンデンサ１５２・１５３及びラインアクロスコンデンサ１５４が取り付けられている。
【０００５】
また、アースインダクタ１５５のトロイダルコア１５５２には、グランドケーブル１５６が巻線として２回巻回されている。そして、トロイダルコア１５５２のラインアクロスコンデンサ１５４に対向する一方の開口部１５５２Ａから引き出された引き出し線（グランドケーブル１５６）１５６Ａは、ラインアクロスコンデンサ１５４の上部を通過して、ＡＣインレット１５１の端子面１５１１において突出するＧＮＤ端子１５１Ｇに、引き出し線１５６の先端が半田付けされている。また、トロイダルコア１５５２の他方の開口部１５５２Ｂからグランドケーブル１５６が引き出し線１５６Ｂとして引き出されている。なお、引き出し線１５６Ｂは、電源回路基板１４１をプロジェクタに取り付けた際に、その先端を筐体に取り付ける。
【０００６】
従来、電源回路基板１４１の組み立て工程としては、電源回路基板１４１に電子部品を実装後に、グランドケーブル１５６の先端をＡＣインレット１５１のＧＮＤ端子１５１Ｇに半田付けしてから、半田ＤＩＰを行い各電子部品に半田付けを行っていた。
【０００７】
しかしながら、グランドケーブル１５６としては、電流容量の関係で被覆外径が２ｍｍ以上であるＡＷＧ１８以上の太いケーブルを使用する必要があるため、上記のようにグランドケーブル１５６を引き回した場合、グランドケーブル１５６からトロイダルコア１５５２の開口部１５５２Ａ側に対して上方向または斜め上方向に曲げ応力Ｆが加わる。また、グランドケーブル１５６からＡＣインレット１５１に対しても上方向または斜め上方向に曲げ応力が加わる。そのため、電子部品のＤＩＰ実装を行うと、図１（Ｂ）に示すように、このアースインダクタ１５５やＡＣインレット１５１が傾いたり電源回路基板１４１から浮いた状態で半田付けされてしまうという問題があった。
【０００８】
従来の製造工程では、上記の問題の発生を防止するために、ＡＣインレット１５１及びアースインダクタ１５５の上に重りを乗せてから、半田ＤＩＰ工程を行っていた。しかし、半田ＤＩＰ工程では、複数のプリント基板を連続的に処理するため、複数の重りを用意しなければならず、また、プリント基板毎に重りを乗せたり取り外したりしなければならないため、製造工程が非常に繁雑であった。
【０００９】
そこで、本発明は、半田ＤＩＰ工程前にアースインダクタの巻線の先端をＡＣインレットに半田付けしても、アースインダクタが傾いたり電源回路基板から浮いたりすることが無いノイズフィルタ回路及びプロジェクタを提供することを目的とする。
【課題を解決するための手段】
【００１０】
この発明は、上記の課題を解決するための手段として、以下の構成を備えている。
【００１１】
（１）巻線が巻かれたトロイダルコアと、
前記巻線の一方の端部が接続される端子が設けられたＡＣインレットと、
前記トロイダルコアの一方の開口部と、前記ＡＣインレットの端子と、の間に、ラインアクロスコンデンサが配置されたノイズフィルタ回路において、
前記トロイダルコアは、
前記ＡＣインレットの端子に接続されている前記巻線の一方の端部が、前記ラインアクロスコンデンサの反対側に位置する他方の開口部から引き出されており、
前記巻線の他方の端部が、前記ラインアクロスコンデンサ側に位置する一方の開口部から引き出されて、且つこの一方の開口部と前記ラインアクロスコンデンサとの間を引き回していることを特徴とする。
【００１２】
この構成においては、トロイダルコアに巻かれた巻線は、一方の端部がトロイダルコアの他方の開口部から引き出されて、ＡＣインレットの端子に接続され、他方の端部がトロイダルコアの一方の開口部から引き出されて、この一方の開口部と前記ラインアクロスコンデンサとの間に引き回されている。そのため、巻線の他方の端部の曲げ応力は、トロイダルコアの一方の開口部から他方の開口部の方向に加わり、巻線の一方の端部の曲げ応力が、トロイダルコアの他方の開口部から一方の開口部の方向に加わる。したがって、トロイダルコアには、それぞれ反対方向から引き出し線の曲げ応力が加わるので、両曲げ応力をほぼ同じ大きさになるように引き出し線の長さや曲げ方等を調整することで、両曲げ応力はほぼ打ち消しあう。これにより、インダクタやＡＣインレットが傾いたりプリント基板から浮いたりするのを防止でき、半田ＤＩＰ工程でインダクタやＡＣインレットに重りを乗せる必要が無く、製造工程を簡略化できる。
【００１３】
（２）前記トロイダルコアは、アースインダクタとして機能することを特徴とする。
【００１４】
この構成においては、アースインダクタが設けられているので、接地線からのノイズの侵入を抑制できる。
【００１５】
（３）前記ラインアクロスコンデンサは、前記トロイダルコアの一方の開口部に対向する側部が平面であることを特徴とする。
【００１６】
この構成においては、トロイダルコアとＡＣインレットとの間に設置されたラインアクロスコンデンサは、トロイダルコアの一方の開口部に対向する側部が平面である。ラインアクロスコンデンサの側部が平面でなく例えば曲面の場合には、巻線の引き回す位置によって巻線の屈曲率が異なるため、巻線の他方の端部からトロイダルコアに加わる曲げ応力は異なる。一方、本発明では、ラインアクロスコンデンサの側部が平面であるため、巻線の引き回す位置にかかわらず巻線の屈曲率がほぼ一定であるため、巻線の他方の端部からトロイダルコアに加わる曲げ応力も、ほぼ一定となる。したがって、ラインアクロスコンデンサ側に位置する一方の開口部から引き出されて、この一方の開口部とラインアクロスコンデンサとの間を引き回す巻線の他方の端部を、ラインアクロスコンデンサの側面に当接させることができるとともに、巻線の他方の端部からの曲げ応力が一定となるようにすることができる。
【発明の効果】
【００１７】
本発明によれば、アースインダクタのトロイダルコアに巻回したグランドケーブルの引き出し線の曲げ応力が、トロイダルコアの両側の開口部に対して加わるようにグランドケーブルを引き回すので、従来のようにアースインダクタの台座やＡＣインレットが電源回路基板から浮いたり傾いたりすることが無い。そのため、半田ＤＩＰ工程の前にアースインダクタやＡＣインレットに重りを乗せる必要が無く、製造工程を簡略化できる。
【発明を実施するための最良の形態】
【００１８】
図２は、プロジェクタ内部の概略構造を示す斜視図である。プロジェクタ１は、ランプユニット１０、画像投射ユニット３０、電源回路基板４０，４１、制御回路基板４２、メインファン６０、及びメインファン７０を備えている。これらは、それぞれ筐体８０に取り付けられている。
【００１９】
ランプユニット１０は、画像投射用の光を出射する。また、ランプユニット１０は、ランプユニット収納部２０に収納されており、プロジェクタ１の本体底面側から脱着自在である。
【００２０】
画像投射ユニット３０は、ＤＭＤ等の画像表示デバイスやカラーホイール（不図示）を備えている。画像投射ユニット３０は、画像表示デバイスにて形成した画像を、ランプユニット１０からの光を用いて投射レンズ３１から投射する。
【００２１】
電源回路基板４０，４１は、ランプユニット１０等に電源を供給する。制御回路基板４２は、画像投射ユニット３０が備える不図示のカラーホイールや画像形成デバイス等の動作を制御する。
【００２２】
メインファン６０，７０は、プロペラファンであり、筐体８０の一方の側面に形成された吸気口８１，８２に対して取り付けられている。メインファン６０，７０は、吸気口８１，８２から外気を吸入し、筐体８０の反対側の側面に形成された排気口８３，８４から排気する。これにより、プロジェクタ１の本体内部は空冷される。
【００２３】
本発明のノイズフィルタ回路は、プロジェクタ１の電源回路基板４１に適用される。
【００２４】
次に、電源回路基板４１に設けられているノイズフィルタ回路を構成する部品の構成を説明する。図３は、電源回路基板に設けられているノイズフィルタ回路を構成する部品の配置を示す概観図である。
【００２５】
図３に示すように、電源回路基板４１に設けたノイズフィルタ回路は、ラインアクロスコンデンサ（アクロスザラインコンデンサ）、ラインバイパスコンデンサ、アースインダクタ等を備えた構成である。ラインアクロスコンデンサを設けることで、ノーマルモードノイズの通過を抑制することができる。アースインダクタを設けることで、接地線からのノイズの侵入を抑制できる。ラインバイパスコンデンサを設けることでコモンモードノイズの通過を抑制する。また、図示していないが、電源回路基板４１には、コモンモードノイズの通過を抑制するために、コモンモードチョークを設けている。
【００２６】
電源回路基板４１における部品配置は、図１に示した従来の構成と同様である。なお、図３に示す各部には、図１において付した符号とは異なる符号を付している。
【００２７】
図３（Ａ）に示すように、電源回路基板（プリント基板）４１上には、ＡＣインレット５１、２つのラインバイパスコンデンサ５２・５３、箱形状の電子部品であるラインアクロスコンデンサ５４、及びアースインダクタ５５がこの順番に、それぞれ近接して取り付けられている。すなわち、ＡＣインレット５１の側部に形成された複数の端子が突出する端子面５１１と、台座５５１の上に取り付けられたトロイダルコア５５２の一方の開口部５５２Ａと、が対向して、電源回路基板４１上に取り付けられている。そして、ＡＣインレット５１とアースインダクタ５５の間に、ラインアクロスコンデンサ５４が、トロイダルコア５５２の一方の開口部５５２Ａと、ＡＣインレットの端子面と、に対向して取り付けられている。また、ＡＣインレット５１とラインアクロスコンデンサ５４との間に、ラインバイパスコンデンサ５２・５３が取り付けられている。
【００２８】
電源回路基板４１の組み立て工程としては、従来と同様、電源回路基板４１に電子部品を実装後に、グランドケーブル５６の先端をＡＣインレット５１のＧＮＤ端子５１Ｇに半田付けしてから、半田ＤＩＰを行い、各電子部品に半田付けを行う。
【００２９】
次に、本発明では、従来のようにグランドケーブル５６の曲げ応力によりＡＣインレット５１やアースインダクタ５５が傾かないように、以下のようにグランドケーブル５６を引き回す。
【００３０】
ここで、グランドケーブル５６は、従来と同様、電流容量の関係で被覆外径が２ｍｍ以上であるＡＷＧ１８以上の太いケーブルを使用する必要がある。
【００３１】
アースインダクタ５５のトロイダルコア５５２には、グランドケーブル５６を巻線として２回巻回している。そして、トロイダルコア５５２のラインアクロスコンデンサ５４の側面５４Ｓに対向する一方の開口部５５２Ａから延出する引き出し線（グランドケーブル５６）５６Ａを、屈曲させながらラインアクロスコンデンサ５４の側面５４Ｓに当接させ、横方向に引き出す。また、トロイダルコア５５２の他方の開口部５５２Ｂから延出する引き出し線（グランドケーブル５６）５６Ｂを、屈曲させながらトロイダルコア５５２の側部を通過させ、ラインアクロスコンデンサ５４の側面５４Ｓ２に当接させて、さらに屈曲させてから先端をＡＣインレット５１の端子面５１１において突出するＧＮＤ端子５１Ｇに半田付けする。
【００３２】
グランドケーブル５６の引き回しを上記のようにすることで、引き出し線５６Ａは屈曲した状態で引き出されてラインアクロスコンデンサ５４の側面５４Ｓに当接するので、引き出し線５６Ａの曲げ応力ＦＡがトロイダルコア５５２の一方の開口部５５２Ａから他方の開口部５５２Ｂの方向に加わる。また、引き出し線５６Ｂは屈曲しながらトロイダルコア５５２の側方を通過するので、引き出し線５６Ｂの曲げ応力ＦＢが、トロイダルコア５５２の他方の開口部５５２Ｂから一方の開口部５５２Ａの方向に加わる。したがって、トロイダルコア５５２には、引き出し線５６Ａからの曲げ応力ＦＢと、引き出し線５６Ｂからの曲げ応力ＦＢが加わるが、力の加わる向きがそれぞれ反対方向である。また、両曲げ応力ＦＡ・ＦＢの大きさがほぼ同じとなるように、引き出し線５６Ａ・５６Ｂの長さや通過位置を調整している。そのため、２つの応力はほぼ打ち消しあうので、トロイダルコア５５２は、従来のように引き出し線５６Ａからの曲げ応力ＦＢが加わって傾いたりプリント基板から浮いてしまうといったことが発生しなくなる（図３（Ｂ）参照）。
【００３３】
また、ラインアクロスコンデンサ５４の側面５４Ｓは平面であるため、引き出し線５６Ａの引き回す位置にかかわらず引き出し線５６Ａの屈曲率はほぼ一定となる。そのため、この引き出し線５６Ａからトロイダルコア５２の一方の開口部５５２Ａから他方の開口部５５２Ｂに加わる曲げ応力ＦＡはほぼ一定にすることができる。
【００３４】
図４は、グランドケーブルの引き回しの別の実施形態を示す概観図である。図４に示すように、トロイダルコア５５２の開口部５５１Ｂから延出する引き出し線５６Ｂは、開口部５５２Ｂから上側に引き回し、トロイダルコア５５２の上方を通過させて、ラインアクロスコンデンサ５４の上面に当接するように、引き出し線５６Ｂを引き回すようにすると良い。これにより、引き出し線５６Ｂの曲げ応力ＦＢが、トロイダルコア５５２の他方の開口部５５２Ｂから一方の開口部５５２Ａの方向に加わる（ＦＢＸ）とともに、トロイダルコア５５２から台座５５１の方向にも加わる（ＦＢＹ）。そのため、引き出し線５６Ａの曲げ応力ＦＡと引き出し線５６Ｂの曲げ応力ＦＢＸとが打ち消しあうとともに、引き出し線５６Ｂの曲げ応力ＦＢＹによりアースインダクタ５５の傾きや浮きの発生を確実に防止できる。
【００３５】
以上のように、本発明では、アースインダクタのトロイダルコアに巻回したグランドケーブルの引き出し線の曲げ応力が、トロイダルコアの両側の開口部に対して加わるようにグランドケーブルを引き回すので、従来のようにアースインダクタの台座やＡＣインレットが電源回路基板から浮いたり傾いたりすることが無い。そのため、半田ＤＩＰ工程でアースインダクタやＡＣインレットに重りを乗せる必要が無く、製造工程を簡略化できる。
【００３６】
なお、以上の説明では、ＡＣインレット５１とアースインダクタ５５との間に、電子部品としてラインアクロスコンデンサ５４を設けた場合を説明したが、本発明はこれに限るものではなく他の電子部品であっても良い。例えば、リレー等の外観が箱形状で側面が平面である部品を設置することで、同様の効果を得ることができる。
【図面の簡単な説明】
【００３７】
【図１】従来のプロジェクタの電源回路基板に設けられているノイズフィルタ回路を構成する部品の配置を示す概観図である。
【図２】プロジェクタ内部の概略構造を示す斜視図である。
【図３】電源回路基板に設けられているノイズフィルタ回路を構成する部品の配置を示す概観図である。
【図４】グランドケーブルの引き回しの別の実施形態を示す概観図である。
【符号の説明】
【００３８】
１−プロジェクタ    ４０，４１−電源回路基板    ５１−ＡＣインレット    ５１Ｇ−ＧＮＤ端子    ５２−ラインバイパスコンデンサ    ５４−ラインアクロスコンデンサ    ５４Ｓ，５４Ｓ２−側面    ５５−アースインダクタ
５６−グランドケーブル    ５６Ａ，５６Ｂ−引き出し線    ８０−筐体
【図１】
2007288056.tif 000003
【図２】
2007288056.tif 000004
【図３】
2007288056.tif 000005
【図４】
2007288056.tif 000006